(57)【要約】【課題】テレビ視聴アプリケーションにて、短時間にテレビ視聴ができるデジタル映像音声受信携帯端末を提供する。【解決手段】制御手段１０４が、利用者の利用履歴情報を記憶管理している利用履歴情報記憶手段１０５から、利用者の視聴履歴を把握し、頻度の高い視聴時間（番組）のために、テレビジョン映像音声信号を受信する映像音声信号受信手段１０１の電源を視聴開始前にＯＮし、出力手段１０３への映像・音声出力を短時間に行えるようにする。【選択図】  図１
2004328020.tif 000002
【特許請求の範囲】
【請求項１】
テレビジョン映像音声信号を受信する映像音声信号受信手段と、
上記映像音声信号受信手段で受信した映像音声信号を映像信号と音声信号に分離し、それぞれ信号処理を行う映像音声信号処理手段と、
分離された映像信号を画面に、音声信号を内蔵スピーカおよび／または音声出力端子に、それぞれ出力する出力手段と、
上記映像音声信号受信手段と映像音声信号処理手段と出力手段の電源制御情報を利用履歴情報として記憶する利用履歴情報記憶手段とを備え、
上記利用履歴情報記憶手段に記憶されている過去の電源オン時刻に現在時刻が近づいた一定時間前に映像音声信号受信手段の電源をオンし、映像音声信号を受信状態にする制御手段を備えたことを特徴とする映像音声受信携帯端末。
【請求項２】
利用履歴情報記憶手段の利用履歴情報として、新たに視聴したテレビジョン番組のチャネル情報を用いた請求項１に記載の映像音声受信携帯端末。
【請求項３】
利用履歴情報記憶手段の利用履歴情報の記憶する周期を１週間とした請求項２に記載の映像音声受信携帯端末。
【請求項４】
利用履歴情報記憶手段の履歴情報の記憶する周期を１ヶ月とした請求項２に記載の映像音声受信携帯端末。
【請求項５】
テレビジョン番組の電子的な番組情報を取得する電子番組情報取得手段を有し、番組情報と電源制御時間情報から利用者が視聴した番組の時間帯を特定し、その番組放送開始、終了時間を電源制御情報とし利用履歴情報記憶手段に記憶する請求項２〜４のいずれかに記載の映像音声受信携帯端末。
【請求項６】
映像音声信号受信手段の電源をＯＮしたことを利用者に伝えるスタンバイ通知手段を有する請求項１〜５のいずれかに記載の映像音声受信携帯端末。
【請求項７】
テレビ視聴アプリケーションが実行状態であることを検知する視聴状態検知手段を有し、上記視聴検知手段から一定の時間の間未視聴状態あることが検知された場合には、受信状態である映像音声信号受信手段の電源をＯＦＦする制御手段を備えた請求項１〜６のいずれかに記載の映像音声受信携帯端末。
【請求項８】
テレビ視聴アプリケーションが他のアプリケーションに出力画面が切替えられたことを通知する画面切替え通知手段を有し、上記画面切替え通知手段から出力画面の切替え通知を受けた場合、映像音声信号処理手段の映像側の処理を停止する制御手段を備えたことを特徴とする請求項１〜７のいずれかに記載の映像音声受信携帯端末。
【請求項９】
他のアプリケーションに音声出力が切替えられたことを通知する音声切替え通知手段を有し、上記音声切替え通知手段から音声切替え通知を受けた場合、映像音声信号処理手段の音声側の処理を停止する制御手段を備えたことを特徴とする請求項１〜８のいずれかに記載の映像音声受信携帯端末。
【発明の詳細な説明】
【０００１】
【発明の属する技術分野】
本発明は、携帯端末の一つのアプリケーションとしてテレビを視聴可能とするテレビ視聴アプリケーションによる携帯端末の視聴、電源制御に関する。
【０００２】
【従来の技術】
現在、アナログの映像音声信号を受信してパソコン上でテレビ番組を視聴可能とするテレビ視聴アプリケーションが提供されている。このようなテレビ視聴アプリケーションでは、利用者が番組を視聴したい時にアプリケーションを起動し、その起動された時点から、ＴＶチューナーカードにて指定されたチャネルへの同期が開始されるため、テレビ番組を視聴開始するのには、時間を要する。また、ＴＶチューナーのハードウェアはパソコンの電源投入と同時に電源が投入される場合が多い。
【０００３】
以下従来のテレビ番組選択時の動作を説明する。
【０００４】
図４は、従来のパソコン上のテレビ視聴アプリケーションの構成を示したものである。
【０００５】
４０１は、映像音声信号受信手段である。映像音声信号受信手段４０１は、テレビジョン映像音声信号を受信する。ＴＶチューナー回路がこれにあたる。テレビ視聴アプリケーションにより、単独で電源ＯＮされるかまたはパソコン起動時に電源がＯＮされる。利用者がテレビ番組を視聴開始にあたっては、チャネル設定が必要で、指定されたチャネルへの同調のための時間も要する。４０２は、映像音声信号処理手段である。映像音声信号処理手段４０２は、上記映像音声信号受信手段で受信した映像音声信号を映像と音声信号に分離し、出力前の処理を行う部分である。デジタルテレビ放送の場合は、この部分で映像、音声のデコード処理を行う。デコード処理に回路を使用している場合は電力消費が発生する。４０３は、出力手段である。出力手段４０３は、ＣＲＴ、液晶画面に映像を出力し、内蔵スピーカ、音声出力端子に音声を出力する。４０４は、制御手段である。
【０００６】
このように構成される従来のデジタル映像音声受信端末の動作を下記に示す。
【０００７】
１）  テレビ視聴アプリケーションが起動される。
【０００８】
２）  制御手段４０４は、映像音声信号受信手段４０１、映像音声信号処理手段４０２、出力手段４０３に電源を投入する。
【０００９】
３）  制御手段４０４は、利用者の視聴したいテレビ番組のチャネル番号を受け付ける。または、前回の電源ＯＦＦ時に視聴していたテレビ番組のチャネル番号を選択候補とする。
【００１０】
４）  映像音声信号受信手段４０１は、選択されたチャネル番号にて同期動作にはいる、同期して表示されるまでには時間を要する。
【００１１】
５）  安定した映像音声信号取得が開始されてから、制御手段４０４は、映像音声信号処理手段４０２に映像音声信号の分離を開始させ、映像、音声信号、それぞれを出力手段４０３に出力可能とする。
【００１２】
６）  制御手段４０４は、出力手段４０３により、映像、音声を出力する。
【００１３】
【特許文献１】
特開平０９−２７５５２８号公報
【００１４】
【発明が解決しようとする課題】
このように従来のテレビ視聴アプリケーションでは、動作説明４）に示したように、チャネル番号の選択時において、ＴＶチューナーの同調動作が必ず必要となる。これは、デジタル化されたデジタルテレビ放送でも同様である。即ち、テレビ視聴アプリケーション起動後のテレビ視聴開始時間において、すぐにテレビ番組を視聴したいという利用者の利便性を害するという課題があった。また、半導体技術が進歩したとはいえ、テレビ視聴アプリケーションにかかわるハードウェアの規模は大きく、常時各部の電源をＯＮしたままでは電源消費が大きいため、効率的な電源管理を行わなければ、その携帯端末の利用できる時間が短縮されてしまうため、その利便性を損なうという課題があった。
【００１５】
本発明は、上述する２つの課題を解決するためになされてもので、第一の目的は、選択頻度の高い時間帯、番組に対しては、短時間で選局完了状態とするデジタル映像音声受信携帯端末を提供することを目的とするものである。第二の目的は、第一の目的を果たすとともに、テレビ視聴アプリケーション利用時の電力消費を抑えたデジタル映像音声受信携帯端末を提供することを目的とするものである。
【００１６】
【課題を解決するための手段】
本発明は、第一の課題を解決するため、上記映像音声信号受信手段と出力手段と映像音声信号処理手段との電源制御情報を利用履歴情報として時系列に記憶する利用履歴情報記憶手段と、上記利用履歴情報記憶手段に過去記憶された利用履歴情報に基づき、一定の時間幅にて先行して映像音声信号受信手段の電源のみをＯＮし、映像音声信号を受信状態にする制御手段とを備えたものである。なお、利用履歴情報記憶手段の履歴情報としては、時間情報にチャネル番号を追加したもの、また、履歴情報の記憶周期を１週間単位、１ヶ月単位としたもの、また、上記利用履歴情報に記憶される情報を番組単位とするため、テレビジョン番組の電子的な番組表を取得する電子番組情報取得手段を新たに備えた。
【００１７】
本発明は、第二の課題を解決するため、テレビ視聴アプリケーションの実行状況を検知する視聴状態検知手段と、他のアプリケーションでの映像音声の出力手段の利用状況を通知する画面切替え通知手段と、音声切替え通知手段と、映像音声信号受信手段、映像音声信号処理手段、出力手段の電源をＯＦＦする制御手段とを備えたものである。
【００１８】
【発明の実施の形態】
以下、本発明の実施形態について、図面を参照して説明する。
【００１９】
（実施の形態１）
本発明の第１の実施の形態のデジタル映像音声受信携帯端末を説明する。
【００２０】
図１は、本発明が適用されたデジタル映像音声受信携帯端末の構成を示すブロック図である。１０１は映像音声信号受信手段、１０２は映像音声信号処理手段、１０３は出力手段である。各手段は、従来の技術と同等のものである。１０４は制御手段、１０５は利用履歴情報記憶手段である。利用履歴情報記憶手段１０５に記憶される履歴情報としては、映像音声信号受信手段１０１、映像音声信号処理手段１０２、出力手段１０３の電源ＯＮ／ＯＦＦを行った時間を履歴として記憶する。また、後述する電子番組情報取得手段１０６により、視聴時のチャネル番号、日時・曜日情報を追加で記憶してもよい。１０６は、電子番組情報取得手段である。電子番組情報取得手段１０６は、放送の信号とあわせて送られる付加的な信号により、テレビジョン番組の番組タイトル、放送時間等のテレビジョン番組に係われる情報を取得するものである。１０７は、スタンバイ通知手段である。スタンバイ通知手段１０７は、下記に説明する内容にて、電源制御が行われテレビジョン番組の映像音声信号を安定的に受信開始可能になったことを利用者に示すものである。光、音、振動等で利用者に通知する。
【００２１】
図２は、利用履歴情報記憶手段１０５に記憶される情報の例を示したものである。ａ）では、映像音声信号受信手段１０１、映像音声信号処理手段１０２、出力手段１０３の各電源ＯＮ・ＯＦＦ時間が記憶されている。ｂ）では、チャネル番号・曜日がａ）の情報にプラスして記憶されている。ｃ）では、番組情報と番組開始・終了時刻をもとに電源ＯＮ・ＯＦＦする時間が記憶されている。
【００２２】
次にこのように構成からなる本実施の形態の作用について説明する。映像音声信号受信手段１０１にて安定的に信号を受信できるのが、電源投入後１５秒後であるとして説明する。説明にあたっては、先に映像音声信号受信手段１０１から利用履歴情報記憶手段１０５に係わる部分を説明し、電子番組情報取得手段１０６、スタンバイ通知手段１０７については、その後説明を加える。
【００２３】
１）  火曜日のチャンネル番号６の１０時０３分からのスポーツ番組を視聴するため、利用者がテレビ視聴アプリケーションを１０時に起動する。視聴終了は１０時３０分とし、その時点でテレビ視聴アプリケーションを終了する。
【００２４】
２）  １）でのテレビ視聴アプリケーションの起動、終了によって、映像音声信号受信手段１０１、映像音声信号処理手段１０２、出力手段１０３の電源ＯＮ／ＯＦＦ時刻が利用履歴情報記憶手段１０５にａ）に示すように履歴情報が記憶される。
【００２５】
３）  １）、２）以降、テレビ視聴アプリケーションの起動、終了により、利用履歴情報記憶手段１０５に利用履歴が記憶されつづけていく。
【００２６】
４）  利用履歴情報記憶手段１０５に記憶されている電源ＯＮ時刻から映像音声信号受信手段１０１にて安定的に信号を受信開始できるのに必要な時間を差し引いた時間に、現在時刻が達した時、制御手段１０４は、映像音声信号受信手段１０１の電源をＯＮする。
【００２７】
５）  現在の時刻が、視聴頻度の高い時間帯である場合は、利用者がテレビ視聴アプリケーションの起動する可能性が高く、４）にて既に受信可能状態となっているため、その後の、映像音声信号処理手段１０２，出力手段１０３の電源ＯＮすることでテレビ番組が短時間に出力手段１０３により表示、出力され。利用者が、すぐに視聴可能となる。
【００２８】
なお、記憶周期を１週間、１ヶ月としたり、チャネル情報を追加したり、または、新たに電子番組情報取得手段１０６を追加することで、時間、日、曜日、チャンネル、番組毎の視聴の頻度情報がとれる。例として、図２−ｂ）では、チャネル情報、曜日情報が追加されている。４）の制御手段１０４にて映像音声信号受信手段１０１の電源ＯＮする時間を決定、比較する際に、曜日、チャネル条件が追加でき、時間情報のときと比べると電源ＯＮする回数を抑えることが可能となる。図２−ｃ）では、電子番組情報取得手段１０６から、番組の開始時刻、終了時刻、チャンネル、タイトル等の情報を取得し、その情報と利用履歴情報記憶手段１０５に記憶されている履歴情報により、既に記憶されている利用履歴情報記憶手段１０５内の時間情報を番組の開始・終了情報に修正できる。利用者が視聴したい番組の開始・終了時刻にそった電源ＯＮ／ＯＦＦが可能となる。
【００２９】
また、番組開始を利用者に合図するスタンバイ通知手段１０７を追加することで、映像音声信号受信手段１０１が十分に安定的に信号を受信開始できる状態に至った後にテレビ視聴アプリケーションの起動することを利用者に確実に促すことができる。
【００３０】
以上のように、本実施の形態によれば、利用履歴情報記憶手段１０５に記憶されている利用履歴にて、デジタル映像音声受信携帯端末のテレビ視聴アプリケーションにおいて、利用者の視聴頻度が高いテレビ番組をアプリケーション起動後、すぐに視聴可能なテレビ視聴環境を整備でき利用者の利便性を向上できる。
【００３１】
（実施の形態２）
本発明の第２の実施の形態のデジタル映像音声受信携帯端末を説明する。
【００３２】
図３は、本発明が適用されたデジタル映像音声受信携帯端末の構成を示すブロック図である。３０１から３０７の各手段は、実施の形態１で説明した１０１から１０７の手段と同等のものである。３０９は音声切替え通知手段である。音声切替え通知手段３０９は、他のアプリケーションが音声出力を使用する場合に、テレビ視聴アプリケーションに割り当てられていた音声に係わる出力手段を他のアプリケーション用に切替え要求を制御手段３０４に通知する。３０８は、画面切替え通知手段である。画面切替え通知手段３０８は、他のアプリケーションが映像出力画面を使用する場合に、テレビ視聴アプリケーションに割り当てられていた映像に係わる出力手段を他のアプリケーション用に切替え要求を制御手段３０４に通知する。３１０は、視聴状態検知手段である。テレビ視聴アプリケーションの実行状態を検知する。
【００３３】
次にこのように構成からなる本実施の形態の作用について説明する。デジタル映像音声受信携帯端末において、電話アプリケーション、メール送受信アプリケーションが、テレビ視聴アプリケーション以外の他のアプリケーションであるとして説明する。
【００３４】
１）  本デジタル映像音声受信携帯端末にて、テレビ視聴アプリケーションが起動されており、利用者が、テレビ番組を内蔵スピーカ、液晶画面を用いテレビジョン番組を視聴しているとする。
【００３５】
２）  ここに、携帯端末にてメールが受信され、メールアプリケーションが起動されたとする。
【００３６】
３）  メールアプリケーションは、メールの内容を利用者に読めるようにするため、画面切替え通知手段３０９にて画面切替え要求を制御手段３０４に通知する。制御手段３０４は、テレビ視聴アプリケーションが使用している出力手段３０３の映像の出力手段をメールアプリケーションに使用可能とさせる。
【００３７】
４）  このとき、制御手段３０４は、映像音声信号処理手段３０２の映像信号処理部分の動作を止め、電源をＯＦＦする。
【００３８】
５）  本デジタル映像音声受信携帯端末上では、メールアプリケーションが動作しながらも、背後ではテレビ視聴アプリケーションが動作しており、メールアプリケーションでは使用されない、内蔵スピーカからテレビジョン番組の音声のみが流れるようになる。
【００３９】
６）  このとき、携帯端末に電話がかかってきて、電話アプリケーションが起動されたとする。
【００４０】
７）  電話アプリケーションは、出力手段１０３の画面とスピーカがアプリケーションの音声、画面の出力先として必要である。
【００４１】
８）  電話アプリケーションは、電話機能が使えるようにするため、音声切替え通知手段３０８、画面切替え通知手段３０９にて、画面切替え要求・音声切り替え要求を制御手段３０４に通知する。制御手段３０４は、テレビ視聴アプリケーションが使用している出力手段３０３の音声の出力手段を電話アプリケーションに使用可能とさせる。また、メールアプリケーションが使用している出力手段３０３の映像の出力手段を電話アプリケーションに使用可能とさせる。
【００４２】
９）  このとき、制御手段３０４は、テレビ視聴アプリケーションが使用している映像音声信号処理手段３０２の音声信号処理部分の動作を止め、電源をＯＦＦする。
【００４３】
１０）  ９）に示したように、テレビ視聴アプリケーションが実質その機能を提供しない状態いたった場合は、映像音声信号受信手段３０１の電源をＯＦＦとする。
【００４４】
１１）  １０）の状態にいたる前に利用者がテレビ視聴アプリケーションを停止させた場合は、視聴状態検知手段３１０により、視聴状態が変更されたことを検知し、制御手段３０４に検知内容が通知され、映像音声信号受信手段３０１の電源をＯＦＦとする。
【００４５】
以上のように、本実施の形態によれば、アプリケーションの出力手段の使用状態、テレビ視聴アプリケーションの動作状態にて、テレビ視聴アプリケーションに必要な映像音声信号受信手段３０１、映像音声信号処理手段３０２、出力手段３０３に係わる、映像・音声の信号処理部分の回路の消費電力を抑えることができる。
【００４６】
また、実施の形態１で説明した場合と同じように利用履歴情報記憶手段３０５に記憶されている履歴情報を用いて、予め映像音声信号受信手段３０１の電源がＯＮされたものでも、視聴状態検知手段３１０により利用者の視聴状況によって、映像音声信号受信手段３０１の電源がＯＦＦされ、消費電力を抑えることができる。
【００４７】
【発明の効果】
本発明によれば、選択頻度の高い時間帯、番組に対しては、短時間で選局完了状態とするデジタル映像音声受信携帯端末を提供することを可能となり、本デジタル映像音声受信携帯端末の利便性は向上する。
【００４８】
また、本発明によれば、上記の利便性を維持しつつ、電力消費が大きくなりやすいテレビ視聴アプリケーション利用時の電力消費を抑えたデジタル映像音声受信携帯端末の提供が可能となる。
【図面の簡単な説明】
【図１】実施の形態１のデジタル映像音声携帯端末の構成を示すブロック図
【図２】実施の形態１のデジタル映像音声携帯端末の利用履歴情報記憶手段１０５にて記憶される利用履歴情報のデータ構造、および、記憶データの例を示す図
【図３】実施の形態２のデジタル映像音声携帯端末の構成を示すブロック図
【図４】従来のデジタル映像音声携帯端末の構成を示すブロック図
【符号の説明】
１０１、３０１、４０１  映像音声信号受信手段
１０２、３０２、４０２  映像音声信号処理手段
１０３、３０３、４０３  出力手段
１０４、３０４、４０４  制御手段
１０５、３０５  利用履歴情報記憶手段
１０６、３０６  電子番組情報取得手段
１０７、３０７  スタンバイ通知手段
３０８  音声切替え手段
３０９  画面切替え手段
３１０  視聴状態検知手段
【図１】
2004328020.tif 000003
【図２】
2004328020.tif 000004
【図３】
2004328020.tif 000005
【図４】
2004328020.tif 000006